Podtech/llm-jp-corpus-v4-ja_patent huggingface dataset:
(57)【要約】      （修正有）【課題】操作ロープを具えた運動用ウエイトボールの提供。【解決手段】体力、筋力、耐久力の鍛練に用いられ、更に操作ロープ２０の使用により腕力、腹筋、背筋、及び平衡感覚の鍛練を達成できる運動用ウエイトボール１０であって、該ウエイトボールは二つの球内室の外側が厚さと重量のある外球皮で被覆され、並びに球中心を貫通するように中心管が一体硫化成形され、ウエイトボールの中心管中に操作ロープが通され、並びに中心管の二端開口部分で結び目２１が形成されて固定されたことを特徴とする。【選択図】図３
0003112801.tif 000002
【実用新案登録請求の範囲】
【請求項１】
二つの球内室の外側が厚さと重量のある外球皮で被覆され、並びに球中心を貫通するように中心管が一体硫化成形され、ウエイトボールの中心管中に操作ロープが通され、並びに中心管の二端開口部分で形成された結び目で固定されたことを特徴とする、操作ロープを具えた運動用ウエイトボール。
【請求項２】
請求項１記載の操作ロープを具えた運動用ウエイトボールにおいて、そのうち一方の球内室に充気貫通孔が設けられたことを特徴とする、操作ロープを具えた運動用ウエイトボール。
【請求項３】
請求項１記載の操作ロープを具えた運動用ウエイトボールにおいて、中心管が鉄管とされたことを特徴とする、操作ロープを具えた運動用ウエイトボール。
【考案の詳細な説明】
【技術分野】
【０００１】
本考案は操作ロープを具えた運動用ウエイトボールに係り、体力、筋力、耐久力の運動に用いられ、使用者が球を打つ、運ぶ運動を行なえるほか、操作ロープの使用により腕力、腹筋、背筋、及び平衡感覚の鍛練を達成できる運動用ウエイトボールに関する。
【背景技術】
【０００２】
伝統的な体力、筋力、耐久力を鍛練するための運動用ウエイトボールは、球体の重量を増したものが主要な形態とされ、重量は多くが球体内部に金属、砂鉄、水或いはその他の重量を有する物質を加えることで増され、このような球体重量増加の方式の最大の欠点は、ウエイトボールがバウンス作用を具備せず、且つ重量の不平均により操作上の危険を形成しやすいことである。更に、伝統的な運動用ウエイトボールは体力、筋力、耐久力の鍛練のみ提供し、腰力、ねじり力、スイング及び平衡感覚の鍛練は行なえず、ゆえに伝統的な運動用ウエイトボールには改善の必要がある。
【考案の開示】
【考案が解決しようとする課題】
【０００３】
本考案の主要な目的は、運動用ウエイトボールを、腰力、ねじり力、スイング及び平衡感覚の鍛練補助を提供できるものとし、運動用ウエイトボールに多機能の作用と目的を具備させることにある。
【０００４】
本考案の次の目的は、運動用ウエイトボールに、従来の体力、筋力、耐久力の鍛練補助の機能を保持させて、使用者が必要に合わせて使用できるものとすることにある。
【０００５】
前述の目的のため、本考案の運動用ウエイトボールは、二つの球内室を具え、二つの球内室の外側が厚さと重量のある外球皮で被覆され、並びに球中心を貫通するように中心管が一体硫化成形され、ウエイトボールの中心管中に操作ロープが通され、並びに中心管の二端開口部分で結び目が形成されて固定されてなる。
【課題を解決するための手段】
【０００６】
請求項１の考案は、二つの球内室の外側が厚さと重量のある外球皮で被覆され、並びに球中心を貫通するように中心管が一体硫化成形され、ウエイトボールの中心管中に操作ロープが通され、並びに中心管の二端開口部分で形成された結び目で固定されたことを特徴とする、操作ロープを具えた運動用ウエイトボールとしている。
請求項２の考案は、請求項１記載の操作ロープを具えた運動用ウエイトボールにおいて、そのうち一方の球内室に充気貫通孔が設けられたことを特徴とする、操作ロープを具えた運動用ウエイトボールとしている。
請求項３の考案は、請求項１記載の操作ロープを具えた運動用ウエイトボールにおいて、中心管が鉄管とされたことを特徴とする、操作ロープを具えた運動用ウエイトボールとしている。
【考案の効果】
【０００７】
本考案は操作ロープを具えた運動用ウエイトボールを提供し、それは、体力、筋力、耐久力の運動に用いられ、使用者が球を打つ、運ぶ運動を行なえるほか、操作ロープの使用により腕力、腹筋、背筋、及び平衡感覚の鍛練を達成できる。
【考案を実施するための最良の形態】
【０００８】
図１、２に示されるように、本考案の運動用ウエイトボール１０は、二つの球内室１１、１１’の外側が、厚さと重量のある外球皮１３で被覆され、並びに球中心を貫通するように中心管１４（鉄管）が一体硫化成形されている。そのうち、球内室１１’に充気貫通孔１２が設けられ、且つ全体が一体硫化成形され、運動用ウエイトボール１０が充気と弾性の作用と機能を具備するものとされ、使用者の体力、筋力、耐久力の運動に用いられ、且つそれが有する弾性により、使用者が球を打つ、運ぶ運動を実施できる。
【０００９】
また、前述の運動用ウエイトボール１０は、その外球皮１３の厚さと重量が、２Ｋｇ、４Ｋｇ、１０Ｋｇ、・・・等、運動の必要に応じて決定される。
さらに、本考案の運動用ウエイトボール１０には中心管１４が設けられ、該中心管１４中を操作ロープ２０が貫通し、並びに中心管１４の二端開口部分で結び目２１、２１’が形成されて運動用ウエイトボール１０に固定され、その全体の外観は図３に示されるとおりである。
【００１０】
図４及び図５は本考案の操作状態を示す。図示されるように、前述の操作ロープ２０は使用者の握持に供され、使用者が振り回す（図４）ことで、腕力、腰力、揺動と平衡感覚の鍛練を達成できる。また壁面３０に打ちつける操作（図５）によっても、腕力、腰力、揺動と平衡感覚の鍛練を達成できる。
【図面の簡単な説明】
【００１１】
【図１】本考案の運動用ウエイトボールの断面図である。
【図２】本考案の運動用ウエイトボールに操作ロープを取り付けた断面図である。
【図３】本考案の外観図である。
【図４】本考案の操作状態（一）表示図である。
【図５】本考案の操作状態（二）表示図である。
【符号の説明】
【００１２】
１０  運動用ウエイトボール        １１、１１’  球内室
１２  充気貫通孔                  １３  球外皮
１４  中心管                      ２０  操作ロープ
２１、２１’  結び目              ３０  壁面
【図１】
0003112801.tif 000003
【図２】
0003112801.tif 000004
【図３】
0003112801.tif 000005
【図４】
0003112801.tif 000006
【図５】
0003112801.tif 000007
(57)【要約】【課題】  発注者が希望するように文字を組み合わせ、文字の変形や刷り色も含め、完全なオリジナル性を持つものとする。【解決手段】  コンピューター、スキャナを駆使し、どのような文字も罫線として使用できるように作成する。【実用新案登録請求の範囲】
【請求項１】
コンピューターで作成した文字を自由自在に組み合わせ罫線として使用する。
【考案の詳細な説明】
【技術分野】  コンピューターによる極細文字を飾り罫のように使用した
【背景技術】  実線または破線が使用されていた
【考案の開示】
【考案が解決しようとする課題】  文字を組み合わせることによりオリジナル性を高める。
【課題を解決するための手段】  コンピューターによる文字の変形やスキャナでの取り込みなどで、発注者が希望する罫線を作成する。
【考案の効果】  オリジナル性が高まることにより、企業の販売促進用グッズや自分だけの用紙として使用する。
【考案を実施するための最良の形態】  便箋・ノート・メモ帳など
【図面の簡単な説明】  考案を便箋として実施した場合の図面である。考案の罫線については拡大したものを添付した。
0003112895.tif 000002
【手続補正書】
【提出日】平成16年3月15日(2004.3.15)
【手続補正１】
【補正対象書類名】実用新案登録請求の範囲
【補正対象項目名】全文
【補正方法】変更
【補正の内容】
【実用新案登録請求の範囲】
【請求項１】
コンピューターで作成した文字を自由自在に組み合わせて罫線とした罫線付きの用紙
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【実用新案登録請求の範囲】
【請求項１】
コンピューターで作成した文字と文字を繋ぎ合わせて罫線として用紙に印刷したメモ帳
(57)【要約】【課題】  釣り針のついたワイヤーロープを犯罪者の足元に掛け、動きを鈍くする事ができる。【解決手段】  スライドバー（２）の内端部にワイヤーロープ（３）を固定して、両端に穴が開いている円柱コルク（６）の穴に入れ、からまないように巻き付けて、トリプルフック（４）を通し、先端部に磁気おもり（５）を固定する。  主軸グリップ（１）の筒の中にスライドバー（２）を収め、主軸グリップ（１）の両端にゴムキャップ（７）を設けたことを特徴とする。【選択図】  図４
0003112898.tif 000002
【実用新案登録請求の範囲】
【請求項１】
主軸グリップ（１）の筒の中に伸縮可能なスライドバー（２）を設け、スライドバー（２）の内端部にワイヤーロープ（３）を固定して、ワイヤーロープ（３）で円柱コルク（６）に巻き付けて、トリプルフック（４）を通し、先端部に磁気おもり（５）を取り付けた犯罪者捕獲器具である。
【考案の詳細な説明】
【考案が解決しようとする課題】
【０００１】  この考案は、刃物などを所持している犯罪者を取り押さえる事は大変危険で、警察が来るまでに負傷者がでるか犯人を取り逃がすことが多かった。
【課題を解決するための手段】
【０００２】  上記を達成するために、アルミ製のパイプに釣り針をつけたワイヤーロープを遠心力の力を利用して、犯人の足元に絡みつける。
【考案の効果】
【０００３】  釣り針をつけたワイヤーロープが足元に絡むことにより、犯罪者の足元は不安定になり、歩行が困難になる。また、本体を強く引っ張ることにより、円柱コルクに巻き付けていたワイヤーが伸び、犯罪者からの距離が保つことが出来る。
【図面の簡単な説明】
【図１】  本体の斜視図である。
【図２】  本体の一部を収納した状態で、一部を取り除いた側面図である。
【図３】  本体の分解斜視図である。
【図４】  本体の使用状態を示す斜視図である。
【符号の説明】
１  主軸グリップ
２  スライドバー
３  ワイヤーロープ
４  トリプルフック
５  円柱コルク
６  ゴムキャップ
【図１】
0003112898.tif 000003
【図２】
0003112898.tif 000004
【図２】
0003112898.tif 000005
【図３】
0003112898.tif 000006
【手続補正書】
【提出日】平成16年11月26日(2004.11.26)
【手続補正２】
【補正対象書類名】図面
【補正対象項目名】全図
【補正方法】変更
【補正の内容】
【図１】
0003112898.tif 000007
【図２】
0003112898.tif 000008
【図３】
0003112898.tif 000009
【図４】
0003112898.tif 000010
(57)【要約】      （修正有）【課題】開閉装置が容易に内外から開閉でき、まねかざる進入者には警報器で警告し、火災等の緊急時には容易に破壊でき、ベランダを有効かつ安全に活用する。【解決手段】パイプゲート自体を容易に破壊出来る材質で製作し、錠前をかけず容易に内外から開閉出来るようにし近接センターを施し、まねかざる進入者があれば警報器で警報を出し防犯上にも安全にする。【選択図】図３
0003112897.tif 000002
【実用新案登録請求の範囲】
【請求項１】
団地、マンション等のベランダを防犯上、有効かつ安全に、現在極めて周知の上下、又は左右に開閉して遮断し、消火設備に関する基準をクリアする工夫を施したことを特徴としたベランダ開閉装置
【請求項２】
開閉装置の材質を容易に破壊出来るもので製作している事を特徴とした請求項Ｉ記載のベランダ開閉装置
【考案の詳細な説明】
【考案の詳細な説明】
【０００１】〔考案の属する技術の分野〕
本考案はベランダの有効かつ安全にする為、外壁の空間を一般的に周知の開閉装置で遮断に関するものである。
【０００２】〔従来の技術〕
ベランダの空間を遮断することは消防法の基準における避難上又は消火活動上有効な開口部を有しない階にあたるので出来ないと考えられていた。
【０００３】〔考案が解決しようとする課題〕
消防法の基準における開口部は格子、その他内部から容易に避難することを妨げる構造を有しないものであり、外部から開放し、または容易に破壊することにより進入出来る構造とすること。
【０００４】〔課題を解決するための手段〕
外部から開放出来、又は容易に破壊することにより進入出来る構造にする為、開閉装置の左右の側面を容易に破壊出来る材料で製作する。
【０００５】〔考案の実施の形態〕
開閉装置は、一般的に周知のパイプゲート、あるいは左右に開らく開き戸を施し、夏期寝苦しい夜クーラきらいで、ガラス戸を開放したいが防犯上出来ず、又子供が落ちる危険をなくせる。
【０００６】パイプゲート自体を容易に破壊出来る材質で製作し、錠前をかけず容易に内外から開閉出来るようにし近接センターを施し、まねかざる進入者があれば警報器で警報を出し防犯上にも安全にする。
【０００７】本考案の実施例は上述の如き構造からなるものであるから開閉装置が容易に内外から開閉出来き、まねがざる進入者には警報器で警告し火災等の緊急時には容易に破壊出来構造であるからベランダを有効かつ安全に活用する事が出来。
【図面の簡単な説明】〔図１〕本考案の一般的周知のパイプゲートシャッターと左右側面を容易に破壊出来材質で製作した窓の実施例を示す立体図である。
〔図２〕
パイプゲートシャッター自体を容易に破壊出来材質で製作した実施例を示す詳細図である。
〔図３〕
左右に開閉する開閉装置の側面に容易に破壊出来材質で製作した窓の実施例を示す立体図である。
〔図４〕
左右開閉装置自体を容易に破壊出来材質で製作した実施例を示す詳細図である。
〔図５〕
左右開閉する実施例の図５のＡ−Ａ’断面詳細図である。
【符号の説明】
１  開閉装置のフレーム
２  パイプゲートシャッター
３  容易に破壊出来材質の窓
４  連結アーム
５  通シボルト
６  左ネジナット
７  右ネジナット
８  容易に破壊出来ゲート
９  左右開閉戸
１０  吊りサゲ滑車
１１  ガイド車
１２  滑車レール
１３  上部連結金具
１４  下部連結金具
１５  底面ガイドレール
【図１】
0003112897.tif 000003
【図２】
0003112897.tif 000004
【図３】
0003112897.tif 000005
【図４】
0003112897.tif 000006
【図５】
0003112897.tif 000007
【手続補正書】
【提出日】平成16年11月14日(2004.11.14)
【手続補正１】
【補正対象書類名】実用新案登録請求の範囲
【補正対象項目名】請求項１
【補正方法】変更
【補正の内容】
【請求項１】
団地，マンション等のベランダを防犯上，有効かつ安全にパイプゲート式上下開閉シャッター又は左右開閉する開き戸で遮断し，消火設備に関する基準をクリアする工夫を施したことを特徴としたベランダー開閉装置
【手続補正書】
【提出日】平成17年4月30日(2005.4.30)
【手続補正１】
【補正対象書類名】実用新案登録請求の範囲
【補正対象項目名】請求項１
【補正方法】変更
【補正の内容】
【請求項１】
団地、マンション等のベランダを防犯上、有効かつ安全に、床面積における開口部の割り合にみあった、パイプゲート式開閉シャッター又は左右開閉する開き戸を設置し、火災等の緊急時に内外部からでも容易に開放出来る様に錠前装置を施さず、まねかざる進入者には、感知装置で警報器を鳴らすことを特徴としたベランダ開閉装置。
(57)【要約】      （修正有）【課題】あらかじめ押し込んだ状態で押圧蓋を固定するために設けられている螺子部を利用し、ポンプ式液体用容器内の液体の取り出し量を無段階に調整可能な器具を取付ける。【解決手段】無段階調整器具１には、側面に、中心から外周方向に向かって広がりの有る切欠き部２が設けられて、中心穴部には雌螺子部３が設けてある。ａは、ポンプ式液体用容器の押圧部の例を示し、押圧蓋１０の下部に、雄螺子部１２が設けられており、更にその下部には、吸入管１１が設けられている。無段階調整器具１に設けられている切欠き部２を、ポンプ式液体用容器ａに設けられている吸入管１１に嵌め込み、その後無段階調整器具１に設けられている雌螺子部３をポンプ式液体用容器ａに設けられている雄螺子部１２にねじ込む。この際に、ねじ込む量を調整する事により、押圧蓋１０の押込みストローク量を調整する。【選択図】図１
0003112900.tif 000002
【実用新案登録請求の範囲】
【請求項１】
ポンプ式液体用容器内の液体取り出し量を無段階に調整可能にするために、外径もしくは内径に螺子部をもうけたことを特徴とする調整器具及び、あらかじめ同様の機構を持たせたポンプ式液体用容器
【考案の詳細な説明】
【技術分野】
【０００１】  本考案は、ポンプ式液体用容器内の液体取出し量を任意に尚且つ無段階に調整するための器具に関する。
【背景技術】
【０００２】  現在普及しているシャンプーや、ボディーソープなどの容器として、押圧ポンプ式液体用容器が多々用いられている。
またその押込み量を制限する方法として、ポンプ式液体用容器の吸入管に切欠き部を有した厚みの有る部材を嵌め込む方法が考案されている。
【実用新案文献】
登録実用新案第３０１９８１１号
【考案の開示】
【考案が解決しようとする課題】
【０００３】  しかし、この方法では、器具の厚みにより、その調節量を調節することとなっており、数種類の器具を準備しなければ思い通りの量に調整できないという問題点があった。
【課題を解決するための手段】
【０００４】  そこで、一般に普及しているポンプ式液体用容器の押圧蓋の下部には、流通時の液漏れを防止するために誤ってポンプが押込まれる事の無いように、また、流通時の省スペース化のため、あらかじめ押し込んだ状態で押圧蓋を固定するための螺子部が設けられている。
本考案によれば、その螺子部を利用し、ポンプ式液体用容器内の液体の取り出し量を無段階に調整可能な器具を取付けることにより、思い通りに吐出量を調整する事を可能とする。
【考案の効果】
【０００５】  従来の技術では厚さの違う器具を多種類用意し、それらを脱着し、試行しなければ、思い通りの調整量が実現できない。
また、器具の固定方法も、吸入管に差し込んだだけなので、使用中に移動し易く、確実でない。
それに対し本考案は、器具１セットのみで、ポンプ式液体用容器の押圧蓋のストローク量を、無段階に調整が可能である。
また、ポンプに設けられている螺子部を利用するので、器具自体が確実に固定可能である。
【考案を実施するための最良の形態】
【０００６】  本考案において、ポンプ式液用体容器の螺子部とは、吸入管上部及び押圧蓋裏面などに設けられている部分を指すが、ポンプ式液体用容器そのものに予め、押圧蓋の押込みストロークを螺子などにて制限調整可能な機構を具備させる事が、好ましい。
【実施例】
【０００７】  以下、添付図面を参照して本考案の一例を説明するが、本考案は、以下の説明及び例示によりなんら制限されるものではない。
図１は、本考案のポンプ式液体用容器内の液体取出し量を無段階に調整可能な器具の一実施例を、示す概略の斜視図である。
以降説明簡略化のため、ポンプ式液体用容器内の液体取出し量を無段階に調節可能な器具を、略称として無段階調整器具と呼ぶこととする。【０００８】  図１に示す実施例において、無段階調整器具１には、側面に、中心から外周方向に向かって広がりの有る切欠き部２が設けられて、中心穴部には雌螺子部３が設けてある。
ａは、ポンプ式液体用容器の押圧部の例を示し、押圧蓋１０の下部に、雄螺子部１２が設けられており、更にその下部には、吸入管１１が設けられている。【０００９】  本例において、無段階調整器具１に設けられている切欠き部２を、ポンプ式液体用容器ａに設けられている吸入管１１に嵌め込み、その後無段階調整器具１に設けられている雌螺子部３を
ポンプ式液体用容器ａに設けられている雄螺子部１２にねじ込む。【００１０】  この際に、ねじ込む量を調整する事により、押圧蓋１０の押込みストローク量を調整する。【００１１】  本例では、ポンプ式液体用容器ａに設けられている雄螺子部１２を利用しているが、他の例として、ポンプ式液体用容器ａに設けられている雄螺子部１２をねじ込むために、ポンプ式液体容器本体側に設けられているところの雌螺子部を利用しても良い。
【産業上の利用可能性】
【００１２】  本考案は、液体洗剤等の使用量を必要量以上に使用することを防止する為のものである。
本考案により液体洗剤等の使用量が削減されることにより、各家庭から排出される廃水の濃度が低下すれば、その下流に位置する各自治体における廃水処理施設にて使用される浄水や、電力や、沈殿操作に必要な硫酸バンド等の凝集剤等が節約され、それら廃水処理施設にかかる負担の軽減、さらには、近隣河川等への汚染廃水の濃度低下などに貢献でき、したがって産業上の利用性が大きい。
【図面の簡単な説明】
【００１３】
【図１】  本考案の無段階調整器具の一実施例及び、それを取付けるポンプ式液体用容器の一実施例を示す斜視図である。
【符号の説明】
【００１４】  １  無段階調整器具
２  切欠き部
３  雌螺子部
ａ  ポンプ式液体用容器
１０  押圧蓋
１１  吸入管
１２  雄螺子部
【図１】
0003112900.tif 000003
【手続補正書】
【提出日】平成17年1月23日(2005.1.23)
【手続補正１】
【補正対象書類名】実用新案登録請求の範囲
【補正対象項目名】全文
【補正方法】変更
【補正の内容】
【実用新案登録請求の範囲】
【請求項１】
側面の一箇所に中心から外周方向に向かって広がりの有る切欠きを備え、中心穴部に雌螺子部を設けた筒状の形状を特徴とする、ポンプ式液体用容器内の液体取出し量を無段階に調整可能にするための調整器具。
(57)【要約】      （修正有）【課題】水等を鼻腔内に流し込むことで鼻腔を洗浄する器具において、ノズルの衛生状態をより良く維持できるようにする。【解決手段】鼻腔内洗浄用コップＸとして、有底筒状の容器体１０と、容器体の開口に着脱可能に固定される上蓋２０と、上蓋上面に設けられる、内部と連通する鼻腔に挿入できる大きさを有するノズル３０と、上蓋上面に設けられる開口部４０とを有する。このような構成により、ノズルを設けた上蓋が着脱可能に固定されているので、上蓋を取り外してノズルの内側を洗浄することができるので、ノズルの衛生状態をより良く維持することが可能である。【選択図】図１
0003112854.tif 000002
【実用新案登録請求の範囲】
【請求項１】
有底筒状の容器体と、
容器体の開口に着脱可能に固定される上蓋と、
上蓋上面に設けられる、内部と連通する鼻腔に挿入できる大きさを有するノズルと、
上蓋上面に設けられる開口部と
を有する鼻腔内洗浄用コップ。
【請求項２】
前記ノズルは、基端に向って径が大きくなるように形成される請求項１に記載の鼻腔内洗浄用コップ。
【考案の詳細な説明】
【技術分野】
【０００１】
本考案は鼻腔内に水や洗浄液を流し込むことで鼻腔内を洗浄するために使用するコップに関する。
【背景技術】
【０００２】
鼻腔内を洗浄する器具には、ポンプなどで鼻腔内に水や洗浄液を加圧して送り込むものと、水等を鼻腔内に重力により自然に流し込むものとがある。加圧タイプのものは、勢いよく水流を流すことができるという点で洗浄力は高いが、鼻腔の粘膜が弱い者等にとっては刺激が強いために望ましくない。一方、鼻腔内が刺激に弱い者等にとっては水等を鼻腔内に流し込むタイプのものは、使用者が流量を調整しながら緩やかに水等を流し込むことができる点で望ましい。このような、器具は下記特許文献１、２等に示されるように水等を溜める容器部分と、容器部分と一体に形成されるノズル部分とで構成されることが一般的である。  
【特許文献１】実開平１−４６０３７号公報
【特許文献２】特開２０００−１８９４８６号公報
【考案の開示】
【考案が解決しようとする課題】
【０００３】
しかし、このように容器部分とノズル部分とを一体に形成すると、長期間使用することによりノズル内部に水垢などが付着しても容易に洗浄することができない。このため、鼻腔内に雑菌が入る等衛生上望ましくない状態が生じることも考えられる。
このような問題に鑑みて、本考案は水等を鼻腔内に流し込むことで鼻腔を洗浄する器具において、ノズルの衛生状態をより良く維持できるようにすることを課題とする。
【課題を解決するための手段】
【０００４】
上記課題を解決するために、本考案は次のような構成を有する。
請求項１に記載の考案は、有底筒状の容器体と、容器体の開口に着脱可能に固定される上蓋と、上蓋上面に設けられる、内部と連通する鼻腔に挿入できる大きさを有するノズルと、上蓋上面に設けられる開口部とを有する鼻腔内洗浄用コップである。
請求項２に記載の考案は、前記鼻腔洗浄用コップにおいて、前記ノズルは、基端に向って径が大きくなるように形成されるものである。
【考案の効果】
【０００５】
請求項１に記載の考案は、ノズルを設けた上蓋が着脱可能に固定されているので、上蓋を取り外してノズルの内側を洗浄することができるので、ノズルの衛生状態をより良く維持することが可能である。
請求項２に記載の考案は、、前記ノズルは、基端に向って径が大きくなるように形成されるものであるので、ノズルの進退量により使用者の鼻腔の大きさに柔軟に対応できるととの、内部を洗浄する際に、上蓋の裏面からノズルの内面が全て現れるのでノズル内面の洗浄を容易に行うことができる。
【考案を実施するための最良の形態】
【０００６】
以下、本考案の実施形態について、図面を参照しながら説明する。
図１に本実施形態に係る鼻腔内洗浄用コップＸの斜視図を示す。鼻腔洗浄用コップＸは有低筒状の容器体１０と、容器体１０の開口に着脱可能に固定される上蓋２０と、上蓋上面に設けられるノズル３０と、上蓋上面に設けられる開口部４０とから構成される。図２に鼻腔洗浄用コップＸの上蓋２０を取り外した状態を示す分解斜視図を示す。
容器本体１０は透明なポリエチレン等の合成樹脂により形成され、上方に向ってやや外径が大きくなるように形成されている。また、容器本体１０の外周面の所定高さ位置に所定の水量を示す目盛１１が描かれている。ここでは、目盛１１は２００ｍｌの水量を示している。さらに、上縁近傍の外周面には雄ネジ１２が形成されている。
上蓋２０は、上方が閉じた扁平な筒状体であり、ポリエチレン等の合成樹脂により成型されている。図３に上蓋２０の縦断面図を示す。図に示すように上蓋２０の内周面には前記容器本体１０の上縁近傍に形成される雄ネジ１２に係合する雌ネジ２１が形成され、これにより上蓋２０は容器体１０に対して着脱可能となっている。
ノズル３０は、上蓋２０の上面のやや偏った位置に設けられる中空の斜円錐状をしており上蓋２０の最も外縁に近い部分が略垂直に形成されている。そして、頂点近傍にやや斜めに開口３１が形成されている。ノズル３０は上蓋２０と一体に成型される。
開口部４０は、上蓋２０の上面の前記ノズル３０が設けられている位置と中心点を挟んで対向する位置に形成されるＤの字状の穴により形成される。
【０００７】
次に、以上のような構成を有する鼻腔洗浄用コップＸの使用方法について、説明する。まず、鼻腔を洗浄する際には、図１に示す状態において、開口部４０から目盛１１の位置まで水等の洗浄するための液体を入れ、ノズル３０を顔側にして容器体１０を手に持ち、そのまま、ノズル３０を鼻腔内へと入れて、容器体１０を傾けることでノズル３０より洗浄するための液体を鼻腔内へと注ぎ入れる。注ぎいれられた液体は口腔内へ排出され、これを口から出すことで鼻腔の洗浄が完了する。
次に、ノズル３０を洗浄する際には、上蓋２０を容器体１０から取り外し、上蓋２０の表側からノズル３０の外面をブラシ等により洗浄し、さらに、上蓋２０の裏側からノズル３０の内面を綿や小さなブラシなどで擦ることで洗浄し、その後、乾燥させる。なお、この際、容器体１０や上蓋２０の他の部分も適宜洗浄乾燥をさせることが望ましい。
以上のように、鼻腔洗浄用コップＸはノズル３０を設けた上蓋２０を容器体１０から取り外すことができるので、ノズル３０を裏面から洗浄することができ、さらに、ノズル３０は先端に向って径が小さくなるようになっているので、すべての面を擦ることが可能である。従って、汚れをより適切に落とすことができ、鼻腔洗浄用コップＸを衛生的な状態に保つことが可能となる。
【図面の簡単な説明】
【０００８】
【図１】実施形態に係る鼻腔洗浄用コップの斜視図である。
【図２】実施形態に係る鼻腔洗浄用コップの分解斜視図である。
【図３】上蓋の縦断面図である。
【符号の説明】
【０００９】
Ｘ    鼻腔洗浄用コップ
１０  容器体
２０  上蓋
３０  ノズル
４０  開口部  
【図１】
0003112854.tif 000003
【図２】
0003112854.tif 000004
【図３】
0003112854.tif 000005
(57)【要約】      （修正有）【課題】ペットボトル等の飲料容器に取り付けることで鼻腔内洗浄器具を形成するアダプターにおいて、空気を取り入れる管などを省いて携帯性を高めつつ、液体をスムーズに流出させることを課題とする。【解決手段】飲料容器用鼻腔内洗浄アダプターＸとして、所定の飲料容器の開口部に着脱可能に形成される蓋体１０と、前記蓋体の上面に上方に設けられる、前記蓋体を前記開口部に装着した際に前記開口部に対して斜めに形成される、空気取り入れ口と液体排出口とを兼ねる長穴２１を先端近傍に設けた、先端に向って縮径するノズル体２０とを有する。【選択図】図２
0003112855.tif 000002
【実用新案登録請求の範囲】
【請求項１】
所定の飲料容器の開口部に着脱可能に形成される蓋体と、
前記蓋体の上面に設けられる、前記蓋体を前記開口部に装着した際に前記開口部に対して斜めに形成される、空気取り入れ口と液体排出口とを兼ねる長穴を先端近傍に設けた、先端に向って縮径するノズル体と
を有する飲料容器用鼻腔内洗浄アダプター。  
【考案の詳細な説明】
【技術分野】
【０００１】
本考案は飲料用の容器の先端に取り付けて、鼻腔内を洗浄する器具を形成するためのアダプターに関する。
【背景技術】
【０００２】
鼻腔内の洗浄は、鼻腔内に水や洗浄液を流入させる器具が用いられる。このような器具は家庭用のものも種々存在するが、鼻腔内洗浄は常に行うものではないために未使用時に邪魔になり、また、器具としての価格も比較的高いという問題がある。このような問題に対応するものとして、下記特許文献１には、ペットボトルの先端にノズルを取り付けることにより鼻腔内洗浄器を形成することが示されている。このような構成により未使用時はノズルのみを収納し、ペットボトルは廃棄すればよく。また、製造コストも容器が不要になる分、低く抑えることができる。
【特許文献１】特開２００４−７３８号公報
【考案の開示】
【考案が解決しようとする課題】
【０００３】
上記特許文献１に記載の考案は、ノズル先端の開口が狭いため、ノズルの開口のみでは液体の表面張力によりノズルが塞がり、液体が流れないので、別途空気を取り入れる管を設けている。これにより、液体と容器との間に空気が入り、液体が押されてノズル先端から流れることになる。しかし、このような管を設けると、その分だけ邪魔な構成が増え携帯性が低下することになる。これに対処するには管を省いてノズルの開口を大きくすればよいが、開口は鼻の穴に入る程度の大きさが必要であり、鼻の穴に入る程度の穴では液体をスムーズに流すことができない。
そこで、本考案は、ペットボトル等の飲料容器に取り付けることで鼻腔内洗浄器具を形成するアダプターにおいて、空気を取り入れる管などを省いて携帯性を高めつつ、液体をスムーズに流出させることを課題とする。
【課題を解決するための手段】
【０００４】
上記課題を解決するために、本考案は次のような構成を有する。
請求項１に記載の考案は、所定の飲料容器の開口部に着脱可能に形成される蓋体と、前記蓋体の上面に上方に設けられる、前記蓋体を前記開口部に装着した際に前記開口部に対して斜めに形成される、空気取り入れ口と液体排出口とを兼ねる長穴を先端近傍に設けた、先端に向って縮径するノズル体とを有する飲料容器用鼻腔内洗浄アダプターである。なお、ここでの「長穴」とは、一方向に長い穴を意味し、楕円形状や長方形状の穴などが含まれる。
【考案の効果】
【０００５】
請求項１に記載の考案は、ノズル体を先端に向って縮径させることによりノズル体の途中で液体が滞ることがなく、先端の開口を長穴により斜めに形成することにより鼻の穴に入る大きさを維持でき、先端近傍で液体を流出させつつ側面の基端側部分で空気を取り入れ、これにより液体をスムーズに流出させることができ、また、空気を取り入れる管などが必要ないので携帯性を高めることができる。
【考案を実施するための最良の形態】
【０００６】
以下、本考案の実施形態について、図面を参照しながら説明する。
図１に本実施形態にかかる飲料容器用鼻腔内洗浄アダプターＸの斜視図を示し、図２に飲料容器用鼻腔内洗浄アダプターＸの縦断面図を示す。飲料容器用鼻腔内洗浄アダプターＸは合成樹脂により一体に形成される蓋体１０とノズル体２０とから構成される。
蓋体１０は市販の５００ｍｌ入りの飲料用ペットボトルの蓋と略同じ形状と構成を有するものであり、筒状の外形の内面に前記飲料用ペットボトルの先端の雄ネジに係合する雌ネジ１１が形成されている。
ノズル体２０は、蓋体１０の上面に一体に形成されるものであって、片側が略垂直になった丸みを帯びた中空の斜円錐状をしている。そして、先端から垂直に切り立った部分の反対側の傾斜する側面側にかけて楕円状の長穴２１が蓋体１０の底面に対して斜めに形成されている。ノズル体１０の先端は平均的な人の鼻の穴が入る程度に形成されている。
【０００７】
次に、以上のような構成を有する飲料容器用鼻腔内洗浄アダプターＸの使用方法について説明する。まず、使用者は図３に示すような良く洗浄した５００ｍｌ入りペットボトルＢに、水等の洗浄するための液体を入れる。この際、液体を入れすぎると液体が流出しないので、液体の量はペットボトルＢの容量の３分の２程度にとどめておく。次に、飲料容器用鼻腔内洗浄アダプターＸの蓋体１０の雌ネジ１１をペットボトルＢの先端の雄ネジに係合させて蓋体１０をペットボトルＢに固定する。この状態で、使用者はノズル体２０の垂直になった側が自己の方を向くようにペットボトルＢを手に持ち、ノズル体２０の先端を鼻の穴に当ててゆっくりペットボトルＢを傾けて液体を鼻腔内へと流入させる。このときのペットボトルＢと飲料容器用鼻腔内洗浄アダプターＸの状態を図４に示す。なお、図４は見やすいように飲料容器用鼻腔内洗浄アダプターＸを断面にしており、また、内部の液体も実線にて表示している。図に示すようにノズル体の長穴２１の傾けた先端側から液体が流出する一方で、長穴の基端側からはペットボトル内へ矢印Ａに示すように空気が入るので、液体は大気圧によってさえぎられることなくスムーズにノズル体２０から流れることができる。
なお、ここでは洗浄するための液体として水などの粘度の低いものを想定しているが、粘性が高い液体を使用する場合は、長穴２１の長さを長くすれば足りる。
【図面の簡単な説明】
【０００８】
【図１】実施形態に係る飲料容器用鼻腔内洗浄アダプターの斜視図である。
【図２】実施形態に係る飲料容器用鼻腔内洗浄アダプターの縦断面図である。
【図３】飲料容器用鼻腔内洗浄アダプターとペットボトルを示す分解斜視図である。
【図４】ペットボトルに飲料容器用鼻腔内洗浄アダプターを装着した際における液体の流出する様子を示した一部破断側面図である。
【符号の説明】
【０００９】
X    飲料容器用鼻腔内洗浄アダプターＸ
Ｂ    ペットボトル
１０  蓋体
２０  ノズル体
２１  長穴
【図１】
0003112855.tif 000003
【図２】
0003112855.tif 000004
【図３】
0003112855.tif 000005
【図４】
0003112855.tif 000006
(57)【要約】【課題】  手道具の金属パイプ製の長柄が有する低コストと堅牢性の利点を備えたまま、金属製パイプ柄の握持時の不快感を解消する長柄を提供する。【解決手段】先端部分に鎌刃その他の所定の作用部１を装着する金属製パイプの長柄部２において、握持箇所となる基部の適宜範囲を、木柄部２２で形成した。【選択図】  図１
0003112816.tif 000002
【実用新案登録請求の範囲】
【請求項１】
先端部分に鎌刃その他の所定の作用部材を装着する金属製パイプの長柄において、握持箇所となる基部の適宜範囲を、木柄部で形成したことを特徴とする手道具の長柄。
【請求項２】
柄の全長が９０〜１２０ｃｍで、木柄部が１０〜３０ｃｍである請求項１記載の手道具の長柄。
【請求項３】
木柄部の先端部分をパイプ柄の基端に圧入し、適宜な手段で連結固定してなる請求項１又は２記載の手道具の長柄。
【考案の詳細な説明】
【技術分野】
【０００１】
本考案は、主として大鎌等の手道具に採用されている長柄に関するものである。
【背景技術】
【０００２】
造林木の下草取りや、つる草などを刈り取る所謂下刈り作業においては、実開昭５６−１２９２６号公報（特許文献１）に示されているようなくの字状刃体や、実開昭５２−３８０１５号（特許文献２）に示されているような鍬形刃体等に、長柄を装着しているものである。
【０００３】
長柄としては、棒状木柄が多用されており、前記刃体を木柄先端に直接装着したり、或いは口金を兼ねる金属パイプに刃体を装着すると共に、前記パイプに棒状木柄を挿着している（実公平２−２９８５６号公報：特許文献３）。
【０００４】
また近年、木製長柄の堅牢性やコスト面が考慮されて、金属パイプ製の長柄も採用されてきた。
【０００５】
【特許文献１】実開昭５６−１２９２６号公報。
【特許文献２】実開昭５２−３８０１５号公報。
【特許文献３】実公平２−２９８５６号公報。
【考案の開示】
【考案が解決しようとする課題】
【０００６】
大鎌等の手道具の長柄に金属パイプを採用すると、木製柄に比較して堅牢性及びコスト面において優れているが、実施の使用に際しては、例えば低温時期の使用に際しては柄が冷たい等というように、手で握持した感触が木製柄に比較して必ずしも良好とはいえない。また握り易い形状に形成しようとした場合には、加工の煩雑さがある。そこで本考案は、手道具に使用する長柄の改良を提案したものである。
【課題を解決するための手段】
【０００７】
本考案に係る手道具の長柄は、先端部分に鎌刃その他の所定の作用部材を装着する金属製パイプの長柄において、握持箇所となる基部の適宜範囲を、木柄部で形成したことを特徴とするものである。
【考案の効果】
【０００８】
本考案は上記構成であるので、堅牢性や安価という金属製パイプ柄の利点を備えると同時に、柄における握持箇所が木製であるので、金属パイプ柄の有する不快感（冷たい感触）が解消されると共に、当該箇所を握り易い形状に加工することも容易に行うことができるものである。
【考案を実施するための最良の形態】
【０００９】
次に本考案の実施の形態について説明する。実施形態に示した手道具は、一般の手道具と同様に鎌刃やその他の所定の作用を発揮する部材で構成される作用部１と、前記作用部を先端に装着（着脱自在の構造を採用しても良いし、固定状態に組み込んだものでも良い）した長柄部２とで形成される。
【００１０】
長柄部２は、全長が９０〜１２０ｃｍ程度で、その大部分を占める金属製パイプ柄部２１と、基部側の握持箇所となる適宜範囲（１０〜３０ｃｍ）を木柄部２２とで構成したもので、木柄部２２は、先端部２３を金属製パイプ柄部２１の基端に圧入し、接着剤で固着したり、或いはパイプを横貫通する止着ピンなどで固着する等の適宜な手段で、金属製パイプ柄部２１に連結固定してなるものである。
【００１１】
尚木柄部２２は、真円柱形状に形成するばかりではなく、握持し易い形状に切削加工を施したものを採用しても良い。
【００１２】
而して前記手道具は、基部の木柄部２２を握持して所定の作業を実施するものであり、握持箇所が木柄部２２となるので、金属柄を握持した際の不快感が無く所定の作業を行うことができるものである。
【図面の簡単な説明】
【００１３】
【図１】本考案の実施形態の全体図。
【図２】同要部分解斜視図。
【符号の説明】
【００１４】
１          作用部
２          長柄部
２１        金属製パイプ柄部
２２        木柄部
２３        先端部
【図１】
0003112816.tif 000003
【図２】
0003112816.tif 000004
(57)【要約】      （修正有）【課題】被切断物の切断を行う切断具において、切断操作に際しての安全性を高めると共に、使用者に安心感を与える器具を提供する。【解決手段】基板部１上に立設した板状支持部２に、刃方向にスライド自在に受け刃体３を装着し、先端を前記板状支持部に枢結（枢決軸４３）すると共に受け刃体との間にクランク体を介設した操作棒４１を備え、操作棒の回動操作によって操作棒の受け刃体と対面する押圧部（押圧杆４４１）で被切断物を受け刃体に押し付けると同時に、前記クランク体の作用で受け刃体をスライド移動させ、被切断物の切断を行う切断具において、操作棒４１の尾端を把手部４５に形成すると共に、把手部４５と押圧部４４との間に鍔部４６を設ける。【選択図】図２
0003112815.tif 000002
【実用新案登録請求の範囲】
【請求項１】
基板部上に立設した板状支持部に、刃方向にスライド自在に受け刃体を装着し、先端を前記板状支持部に枢結すると共に受け刃体との間にクランク体を介設した操作棒を備え、操作棒の回動操作によって操作棒の受け刃体と対面する押圧部で被切断物を受け刃体に押し付けると同時に、前記クランク体の作用で受け刃体をスライド移動させ、被切断物の切断を行う切断具において、操作棒の尾端を把手部に形成すると共に、把手部と押圧部との間に鍔部を設けてなることを特徴とする切断具。
【請求項２】
受け刃体の刃部を中央膨出の湾曲刃とし、操作棒の押圧部に、受け刃体が通過できる長溝と、操作棒の回動終了位置で前記長溝を貫通して露出した受け刃体の刃部を覆うカバー部とを設けてなる請求項１記載の切断具。
【考案の詳細な説明】
【技術分野】
【０００１】
本考案は、受け刃に対して被切断物を押し付けて切断する切断具の改良に関するものである。
【背景技術】
【０００２】
藁束や花束等の手作業による切断を行う切断具として、従前より受け刃に対して被切断物を押し付けながら受け刃をスライド移動させて切断する切断具が知られている。
【０００３】
具体的には、基板部上に受け刃体を、刃方向にスライド自在に立て板状支持部で支持し、先端を前記支持部に枢結すると共に受け刃体との間にクランク体を介設した操作棒を備え、操作棒の回動操作で被切断物を受け刃に押し付けると同時に受け刃体をスライド移動させて、被切断物の切断を実現しているものである。
【考案の開示】
【考案が解決しようとする課題】
【０００４】
前記の切断具にあっては、操作棒の一部を把手部にして手動操作を行うものであるが、受け刃体が露出状態であり、操作棒をその受け刃体に向かって操作するものであるので、作業者に恐怖感を与えてしまうと共に、誤って手を滑らすと直ちに受け刃体と接触して怪我を負ってしまう危険もある。
【０００５】
そこで本考案は作業者に安心感を与える安全処理を施した新規な切断具を提案したものである。
【課題を解決するための手段】
【０００６】
本考案に係る切断具は、基板部上に立設した板状支持部に、刃方向にスライド自在に受け刃体を装着し、先端を前記板状支持部に枢結すると共に受け刃体との間にクランク体を介設した操作棒を備え、操作棒の回動操作によって操作棒の受け刃体と対面する押圧部で被切断物を受け刃体に押し付けると同時に、前記クランク体の作用で受け刃体をスライド移動させ、被切断物の切断を行う切断具において、操作棒の尾端を把手部に形成すると共に、把手部と押圧部との間に鍔部を設けてなることを特徴とするものである。
【０００７】
而して被切断物を受け刃体の刃部上に位置させ、操作棒を回動操作して被切断物を受け刃体に押し付けると、押圧部による押圧と受け刃体のスライド移動で、被切断物が切断されるものである。
【考案の効果】
【０００８】
本考案は上記構成を備えているものであるから、操作棒の回動操作による切断作業に際して、把手部を握持した手は、受け刃体側に滑ったとしても鍔部によって保護されることになるので、危険は無く、使用者に安心感を与える。
【考案を実施するための最良の形態】
【０００９】
次に本考案の実施の形態について説明する。実施形態に示した切断具は、基板部１、支持部２、受け刃体３、及び操作部４で構成されている。
【００１０】
基板部１は、ベース体として使用するもので、作業台や作業個所の床面に載置するもので、必要に応じて適宜な脚を付設しても良い。
【００１１】
支持部２は、Ｌ状板の立板部を対面させるように前記基板部１に固着してなり、立板部間に受け刃体３を介装したもので、特に受け刃体３は長孔３１を穿設して、長孔３１を貫通する支持軸２１を立板部に架設して、受け刃体３を刃方向にスライド移動自在に支持しているものである。
【００１２】
受け刃体３は、前記の通り支持部２で刃方向にスライド移動自在に支持されているが、刃部３２は、中央が膨出した湾曲刃にしてなる。
【００１３】
操作部４は、操作棒４１とクランク体４２で構成され、操作棒４１は、先端を支持部２に枢結（枢結軸４３）し、操作棒の回動で受け刃体３に対面する箇所を押圧部４４とし、尾端を把手部４５としているものである。
【００１４】
特に押圧部４４は、被切断物を受け刃体３に押し付ける２本の押圧杆４４１と、受け刃体３が通過できる長溝４４２と、操作棒４１の回動終了位置で前記長溝４４２を貫通して露出した受け刃体３の刃部３２を覆うカバー部４４３とで構成したものである。
【００１５】
更に把手部４５と押圧部４４との間には、適宜な大きさの鍔部４６を設けてなり、また操作棒４１の先端部分には、受け刃体３との間にクランク体４２を介設して、操作棒４１の回動操作によって受け刃体３を刃方向にスライド移動させるようにしているものである。
【００１６】
而して被切断物の切断作業は、（片手で握持した）被切断物を受け刃体３の刃部３２上に位置させ、（他方の手で握持した）把手部による押圧回動操作で、被切断物を受け刃体３に押し付け、同時に受け刃体３のスライド移動で、被切断物が切断されるものである。
【００１７】
前記の切断操作に際して、特に把手部４５と押圧部４４との間には、適宜な大きさの鍔部４６を設けているので、把手部４５を握持している手が滑っても鍔部４６で、手の移動が阻止されるので、安全であり、且つ使用者に安心感を与えるものである。
【図面の簡単な説明】
【００１８】
【図１】本考案の実施形態の全体斜視図。
【図２】同使用状態の全体斜視図。
【図３】同使用状態の正面図。
【符号の説明】
【００１９】
１          基板部
２          支持部
２１        支持軸
３          受け刃体
３１        長孔
３２        刃部
４          操作部
４１        操作棒
４２        クランク体
４３        枢結軸
４４        押圧部
４４１      押圧杆
４４２      長溝
４４３      カバー部
４５        把手部
４６        鍔部
【図１】
0003112815.tif 000003
【図２】
0003112815.tif 000004
【図３】
0003112815.tif 000005
(57)【要約】【課題】  怪我とか老齢、また、腰痛等に悩むような時、用便後に、楽にしかも衛生的にお尻が拭ける携帯用お尻拭き器を提供する。【解決手段】  用便後における附着物の拭取りに使用する携帯用お尻拭き器にあって、先端部にトイレットペーパー４を巻き取るための突起部３を設けたトイレットペーパー巻取部材２と、ストッパー部６を設けた伸縮性柄部材５と、前記トイレットペーパー巻取部材２及び前記伸縮性柄部材５からなる携帯用お尻拭き器本体１を収納する収納袋８とによって構成される携帯用お尻拭き器。【選択図】図１
0003112872.tif 000002
【実用新案登録請求の範囲】
【請求項１】
用便後における附着物の拭取りに使用する携帯用お尻拭き器にあって、先端部にトイレットペーパーを巻き取るための突起部を設けたトイレットペーパー巻取部材と、ストッパー部を設けた伸縮性柄部材と、前記トイレットペーパー巻取部材及び前記伸縮性柄部材からなる携帯用お尻拭き器本体を収納する収納袋とによって構成されることを特徴とする携帯用お尻拭き器。
【考案の詳細な説明】
【技術分野】
【０００１】
本考案は、排便、排尿等の用便後における附着物の拭取りに使用する携帯用お尻拭き器に関するものである。
【背景技術】
【０００２】
怪我とか老齢、また、腰痛等に悩むような時、用便後に自分の手に紙（トイレットペーパー）を持ち、その紙でお尻を拭くのになかなか手が自由にならず、不便なことがある。
【特許文献１】実開平１−１０８１８８号公報
【考案の開示】
【考案が解決しようとする課題】
【０００３】
用便後に直接トイレットペーパーを手で保持して拭取りを行う場合、手への大腸菌の附着等の衛生上の問題点もあり、また、腰痛に悩むような時には拭取りを行うには腰への負担が大きくなり骨盤のずれを生じるようなことも起こり得る。本考案は、前述の欠点を解決しようとするものである。
【課題を解決するための手段】
【０００４】
本考案は、用便後における附着物の拭取りに使用する携帯用お尻拭き器にあって、先端部にトイレットペーパーを巻き取るための突起部を設けたトイレットペーパー巻取部材と、ストッパー部を設けた伸縮性柄部材と、前記トイレットペーパー巻取部材及び前記伸縮性柄部材からなる携帯用お尻拭き器本体を収納する収納袋とによって構成される携帯用お尻拭き器とすることにより問題点を解決している。
【考案の効果】
【０００５】
上記のように、本考案の携帯用お尻拭き器は、用便後における附着物の拭取りを間接的に行うことができるため衛生性を向上させ、また、腰痛に悩むような場合でも拭取りが容易になり、腰への負担も少なくなり、骨盤のずれを防ぎ、痛みを和らげることができる。
【考案を実施するための最良の形態】
【０００６】
収納袋からお尻拭き器本体を取り出し、伸縮性柄部材を伸ばし、その伸縮性柄部材を把持してトイレットペーパー巻取部材にトイレットペーパーを巻き取って肛門部に当て、容易に附着物を拭取ることができるようになり、衛生性を向上させ、腰への負担も少なくなり、腰痛に悩む人以外にも肥満体の方や妊婦等にも利用できる。
【実施例】
【０００７】
以下、添付図面に従って一実施例を説明する。図１〜図３に示すように本考案の携帯用お尻拭き器は、先端部にトイレットペーパー４を巻き取るための突起部３を設けたトイレットペーパー巻取部材２と、ストッパー部６を設けた伸縮性柄部材５と、前記トイレットペーパー巻取部材2及び前記伸縮性柄部材５からなる携帯用お尻拭き器本体１を収納する収納袋８とによって構成される。
【０００８】
その使用法は、図１に示すように、伸縮性柄部材５を伸ばし、トイレットペーパー巻取部材２の突起部３にトイレットペーパー４を巻き取りながら伸縮性柄部材５の方向へ螺旋状に巻きつけ、トイレットペーパー４が伸縮性柄部材５に付けた千切目安ライン７まで巻きつけられたら、トイレットペーパー巻取部材２の先端部方向へトイレットペーパー４を螺旋状に巻きつける。この動作を５〜６回繰り返し行い、千切目安ライン７でトイレットペーパー４を千切る。
【０００９】
次に、トイレットペーパー巻取部材２に巻きつけられたトイレットペーパー４を肛門部に当て携帯用お尻拭き器本体１を手前側に引っ張ることで附着物を拭取る。附着物により汚れが付いたペーパー部分がなくなるまでトイレットペーパー４を巻き戻し、新たにきれいなペーパー面が現われたら千切目安ライン７でトイレットペーパー４を千切って便器に投棄する。
【００１０】
大まかな附着物による汚れが拭取れたら、携帯用お尻拭き器本体１を１／３ずつ回転させながら残りの附着物を拭取る。三箇所使い終わったら上記動作を繰り返し、また新たなペーパー面で拭取ることになる。
【００１１】
拭取りが完了し、トイレットペーパー４がトイレットペーパー巻取部材２に残っている場合には、携帯用お尻拭き器本体１からその残りのトイレットペーパー４を取り去り、便器に投棄する。
【００１２】
したがって、本考案の携帯用お尻拭き器を使用すると、携帯用お尻拭き器本体を、トイレに流せるタイプの殺菌消毒綿で清潔にすることにより、いつでも衛生的に使用できることになり、直接ペーパーを手で保持して拭取りを行う従来のやり方と比べて、手への大腸菌等の附着もなくなりペーパーの使用量も少なくなる。
【００１３】
また、腰痛に悩む人以外にも肥満体の方や妊婦の方々にも腰への負担が少なくなり、本考案の携帯用お尻拭き器を使用すると、お尻は楽に、簡単に、きれいに拭くことができる。
【００１４】
さらに、本考案の携帯用お尻拭き器は、図２に示すように、伸縮性柄部材５を縮めてコンパクトにでき、図３の収納袋８に入れて携帯することもできる。
【図面の簡単な説明】
【００１５】
【図１】本考案の携帯用お尻拭き器本体の一実施例を示す正面図である。
【図２】本考案の携帯用お尻拭き器本体の伸縮性柄部材を縮めて収納袋に収納する時の正面図である。
【図３】本考案の携帯用お尻拭き器本体を収納する収納袋の正面図である。
【符号の説明】
【００１６】
１    携帯用お尻拭き器本体
２    トイレットペーパー巻取部材
３    突起部
４    トイレットペーパー
５    伸縮性柄部材
６    ストッパー部
７    千切目安ライン
８    収納袋
【図１】
0003112872.tif 000003
【図２】
0003112872.tif 000004
【図３】
0003112872.tif 000005